(57)【要約】【課題】表紙用紙のジャムが発生したことに伴うダウンタイムを短縮することができる画像形成システム及び製本装置を提供する。【解決手段】用紙束を所定位置Ｐ１に供給された表紙用紙と接合することにより当該用紙束を冊子に製本する画像形成システム１０００及び製本装置２０００において、表紙用紙のジャムが発生したことが検出された場合に、当該ジャムの発生位置に基づいて用紙トレイ（給紙トレイ１３ａやＰＩトレイ３３ａ）に収納された用紙を所定位置Ｐ１に供給可能であると判断されるとともに、表紙用紙の代替となる代替用紙の条件に適合する用紙が収納された用紙トレイがあると判断された場合に、当該用紙トレイを代替トレイとして指定し、代替トレイとして指定された用紙トレイに収納された用紙を所定位置Ｐ１に供給するよう構成した。【選択図】図２
2010049171.tif 000002
【特許請求の範囲】
【請求項１】
用紙に画像を形成する画像形成装置と、当該画像形成装置により画像形成された用紙を集積して束にした用紙束を所定位置に供給された表紙用紙と接合することにより当該用紙束を冊子に製本する製本装置と、を備える画像形成システムにおいて、
前記表紙用紙が収納された表紙用紙トレイと、
用紙が収納された用紙トレイと、
前記用紙トレイに収納された用紙に関する用紙情報を記憶する記憶手段と、
前記表紙用紙トレイに収納された表紙用紙を前記所定位置に供給する表紙用紙搬送手段と、
前記表紙用紙を前記所定位置に供給できなくなったことを検出する検出手段と、
前記検出手段により前記表紙用紙を前記所定位置に供給できなくなったことが検出された場合に、当該検出手段による検出結果に基づいて、前記用紙トレイに収納された用紙を前記所定位置に供給可能であるか否か判断する供給判断手段と、
前記供給判断手段により前記用紙トレイに収納された用紙を前記所定位置に供給可能であると判断された場合に、前記記憶手段に記憶された用紙情報を参照して、前記表紙用紙の代替となる代替用紙の条件に適合する用紙が収納された用紙トレイがあるか否か判断するトレイ判断手段と、
前記トレイ判断手段により前記代替用紙の条件に適合する用紙が収納された用紙トレイがあると判断された場合に、当該用紙トレイを代替トレイとして指定する指定手段と、
前記指定手段により代替トレイとして指定された用紙トレイに収納された用紙を前記所定位置に供給する用紙搬送手段と、
を備え、
前記検出手段は、前記表紙用紙のジャムが発生したことを検出する複数のジャム検出手段を備え、
前記供給判断手段は、前記ジャム検出手段により前記表紙用紙のジャムが発生したことが検出された場合に、当該ジャムの発生を検出したジャム検出手段の配置位置に基づいて、前記用紙トレイに収納された用紙を前記所定位置に供給可能であるか否か判断することを特徴とする画像形成システム。
【請求項２】
請求項１に記載の画像形成システムにおいて、
前記指定手段は、代替トレイとして指定可能な用紙トレイが複数ある場合、当該複数の用紙トレイのうち、前記表紙用紙のサイズ以上のサイズを有する用紙を収納する用紙トレイを代替トレイとして指定することを特徴とする画像形成システム。
【請求項３】
請求項１又は２に記載の画像形成システムにおいて、
前記表紙用紙トレイに収納された表紙用紙及び前記代替トレイとして指定された用紙トレイに収納された用紙を、前記冊子の表紙に好適なサイズに断裁する断裁手段を備えることを特徴とする画像形成システム。
【請求項４】
請求項１又は２に記載の画像形成システムにおいて、
用紙束と、前記表紙用紙トレイに収納された表紙用紙または前記代替トレイとして指定された用紙トレイに収納された用紙と、が接合された冊子の端部を断裁する冊子断裁手段を備えることを特徴とする画像形成システム。
【請求項５】
請求項１〜４の何れか一項に記載の画像形成システムにおいて、
前記代替用紙の条件を設定する条件設定手段を備え、
前記トレイ判断手段は、前記記憶手段に記憶された用紙情報を参照して、前記条件設定手段により設定された代替用紙の条件に適合する用紙が収納された用紙トレイがあるか否か判断することを特徴とする画像形成システム。
【請求項６】
請求項１〜５の何れか一項に記載の画像形成システムにおいて、
前記代替用紙の条件は、用紙の幅、長さ、坪量及び紙種のうちの少なくとも１つであることを特徴とする画像形成システム。
【請求項７】
請求項１〜６の何れか一項に記載の画像形成システムにおいて、
代替トレイとする用紙トレイを選択するトレイ選択手段を備え、
前記指定手段は、前記トレイ選択手段により代替トレイとする用紙トレイが選択された場合に、当該用紙トレイを代替トレイとして指定することを特徴とする画像形成システム。
【請求項８】
請求項１〜７の何れか一項に記載の画像形成システムにおいて、
前記検出手段は、前記表紙用紙トレイが用紙切れになったことを検出する用紙切れ検出手段を備え、
前記供給判断手段は、前記用紙切れ検出手段により前記表紙用紙トレイが用紙切れになったことが検出された場合に、前記用紙トレイに収納された用紙を前記所定位置に供給可能であると判断することを特徴とする画像形成システム。
【請求項９】
用紙束を所定位置に供給された表紙用紙と接合することにより当該用紙束を冊子に製本する製本装置において、
前記表紙用紙が収納された表紙用紙トレイと、
用紙が収納された用紙トレイと、
前記用紙トレイに収納された用紙に関する用紙情報を記憶する記憶手段と、
前記表紙用紙トレイに収納された表紙用紙を前記所定位置に供給する表紙用紙搬送手段と、
前記表紙用紙を前記所定位置に供給できなくなったことを検出する検出手段と、
前記検出手段により前記表紙用紙を前記所定位置に供給できなくなったことが検出された場合に、当該検出手段による検出結果に基づいて、前記用紙トレイに収納された用紙を前記所定位置に供給可能であるか否か判断する供給判断手段と、
前記供給判断手段により前記用紙トレイに収納された用紙を前記所定位置に供給可能であると判断された場合に、前記記憶手段に記憶された用紙情報を参照して、前記表紙用紙の代替となる代替用紙の条件に適合する用紙が収納された用紙トレイがあるか否か判断するトレイ判断手段と、
前記トレイ判断手段により前記代替用紙の条件に適合する用紙が収納された用紙トレイがあると判断された場合に、当該用紙トレイを代替トレイとして指定する指定手段と、
前記指定手段により代替トレイとして指定された用紙トレイに収納された用紙を前記所定位置に供給する用紙搬送手段と、
を備え、
前記検出手段は、前記表紙用紙のジャムが発生したことを検出する複数のジャム検出手段を備え、
前記供給判断手段は、前記ジャム検出手段により前記表紙用紙のジャムが発生したことが検出された場合に、当該ジャムの発生を検出したジャム検出手段の配置位置に基づいて、前記用紙トレイに収納された用紙を前記所定位置に供給可能であるか否か判断することを特徴とする製本装置。
【発明の詳細な説明】
【技術分野】
【０００１】
本発明は、画像形成システム及び製本装置に関する。
【背景技術】
【０００２】
従来、画像が形成された用紙を集積して束にした一冊の用紙束を、ステイプル綴じや糊付けなどによって表紙用紙と接合することにより、その用紙束を冊子に製本する製本装置が知られている。
【０００３】
このような製本装置においては、用紙の紙詰まり（ジャム）や紙切れなどの異常が発生して用紙が供給できなくなると、ジョブを停止してしまうため、ダウンタイムが長くなり、効率よく製本処理が行えないという問題がある。
そのため、例えば、ジャム等の異常が発生した場合に、異常発生後でも表紙用紙が搬送可能であればその表紙用紙を装置外に搬出できる製本装置（例えば、特許文献１参照）のように、ジャム等の異常が発生した場合に、装置内に滞留する用紙の除去等のリカバリ操作を容易にして、ダウンタイムが長くなるのを抑える手法が提案されている。
また、例えば、第１用紙トレイに収容された用紙の紙切れが発生した場合に、その用紙と同一サイズで同一タイプの用紙が収容された第２用紙トレイから用紙を供給する印刷システム（例えば、特許文献２参照）のように、用紙の紙切れが発生した場合に、その用紙と同一サイズで同一タイプの代替用紙を供給してジョブを継続することにより、ダウンタイムが無駄に発生するのを抑える手法も提案されている。
【特許文献１】特開２００７−２２９９３８号公報
【特許文献２】特開２００８−３０４５１号公報
【発明の開示】
【発明が解決しようとする課題】
【０００４】
しかしながら、特許文献１に記載の手法は、表紙用紙が搬送可能な場合（すなわち、表紙用紙の搬送経路と異なる経路でジャムが発生した場合や、表紙用紙の搬送経路と異なる経路に配置された搬送機構に異常が発生した場合など）のみ対応でき、表紙用紙のジャムが発生した場合等、表紙用紙が搬送可能でない場合には対応できない。
特許文献２に記載の手法は、表紙用紙の紙切れが発生した場合には対応できるものの、表紙用紙のジャムが発生した場合には対応できない。また、用紙と同一サイズで同一タイプの用紙が給紙されていない場合には、代替用紙を供給することができないため、ダウンタイムが長くなるという問題を解決することはできない。
【０００５】
本発明の課題は、表紙用紙のジャムが発生したことに伴うダウンタイムを短縮することができる画像形成システム及び製本装置を提供することにある。
【課題を解決するための手段】
【０００６】
上記課題を解決するために、請求項１に記載の発明は、
用紙に画像を形成する画像形成装置と、当該画像形成装置により画像形成された用紙を集積して束にした用紙束を所定位置に供給された表紙用紙と接合することにより当該用紙束を冊子に製本する製本装置と、を備える画像形成システムにおいて、
前記表紙用紙が収納された表紙用紙トレイと、
用紙が収納された用紙トレイと、
前記用紙トレイに収納された用紙に関する用紙情報を記憶する記憶手段と、
前記表紙用紙トレイに収納された表紙用紙を前記所定位置に供給する表紙用紙搬送手段と、
前記表紙用紙を前記所定位置に供給できなくなったことを検出する検出手段と、
前記検出手段により前記表紙用紙を前記所定位置に供給できなくなったことが検出された場合に、当該検出手段による検出結果に基づいて、前記用紙トレイに収納された用紙を前記所定位置に供給可能であるか否か判断する供給判断手段と、
前記供給判断手段により前記用紙トレイに収納された用紙を前記所定位置に供給可能であると判断された場合に、前記記憶手段に記憶された用紙情報を参照して、前記表紙用紙の代替となる代替用紙の条件に適合する用紙が収納された用紙トレイがあるか否か判断するトレイ判断手段と、
前記トレイ判断手段により前記代替用紙の条件に適合する用紙が収納された用紙トレイがあると判断された場合に、当該用紙トレイを代替トレイとして指定する指定手段と、
前記指定手段により代替トレイとして指定された用紙トレイに収納された用紙を前記所定位置に供給する用紙搬送手段と、
を備え、
前記検出手段は、前記表紙用紙のジャムが発生したことを検出する複数のジャム検出手段を備え、
前記供給判断手段は、前記ジャム検出手段により前記表紙用紙のジャムが発生したことが検出された場合に、当該ジャムの発生を検出したジャム検出手段の配置位置に基づいて、前記用紙トレイに収納された用紙を前記所定位置に供給可能であるか否か判断することを特徴とする。
【０００７】
請求項２に記載の発明は、
請求項１に記載の画像形成システムにおいて、
前記指定手段は、代替トレイとして指定可能な用紙トレイが複数ある場合、当該複数の用紙トレイのうち、前記表紙用紙のサイズ以上のサイズを有する用紙を収納する用紙トレイを代替トレイとして指定することを特徴とする。
【０００８】
請求項３に記載の発明は、
請求項１又は２に記載の画像形成システムにおいて、
前記表紙用紙トレイに収納された表紙用紙及び前記代替トレイとして指定された用紙トレイに収納された用紙を、前記冊子の表紙に好適なサイズに断裁する断裁手段を備えることを特徴とする。
【０００９】
請求項４に記載の発明は、
請求項１又は２に記載の画像形成システムにおいて、
用紙束と、前記表紙用紙トレイに収納された表紙用紙または前記代替トレイとして指定された用紙トレイに収納された用紙と、が接合された冊子の端部を断裁する冊子断裁手段を備えることを特徴とする。
【００１０】
請求項５に記載の発明は、
請求項１〜４の何れか一項に記載の画像形成システムにおいて、
前記代替用紙の条件を設定する条件設定手段を備え、
前記トレイ判断手段は、前記記憶手段に記憶された用紙情報を参照して、前記条件設定手段により設定された代替用紙の条件に適合する用紙が収納された用紙トレイがあるか否か判断することを特徴とする。
【００１１】
請求項６に記載の発明は、
請求項１〜５の何れか一項に記載の画像形成システムにおいて、
前記代替用紙の条件は、用紙の幅、長さ、坪量及び紙種のうちの少なくとも１つであることを特徴とする。
【００１２】
請求項７に記載の発明は、
請求項１〜６の何れか一項に記載の画像形成システムにおいて、
代替トレイとする用紙トレイを選択するトレイ選択手段を備え、
前記指定手段は、前記トレイ選択手段により代替トレイとする用紙トレイが選択された場合に、当該用紙トレイを代替トレイとして指定することを特徴とする。
【００１３】
請求項８に記載の発明は、
請求項１〜７の何れか一項に記載の画像形成システムにおいて、
前記検出手段は、前記表紙用紙トレイが用紙切れになったことを検出する用紙切れ検出手段を備え、
前記供給判断手段は、前記用紙切れ検出手段により前記表紙用紙トレイが用紙切れになったことが検出された場合に、前記用紙トレイに収納された用紙を前記所定位置に供給可能であると判断することを特徴とする。
【００１４】
請求項９に記載の発明は、
用紙束を所定位置に供給された表紙用紙と接合することにより当該用紙束を冊子に製本する製本装置において、
前記表紙用紙が収納された表紙用紙トレイと、
用紙が収納された用紙トレイと、
前記用紙トレイに収納された用紙に関する用紙情報を記憶する記憶手段と、
前記表紙用紙トレイに収納された表紙用紙を前記所定位置に供給する表紙用紙搬送手段と、
前記表紙用紙を前記所定位置に供給できなくなったことを検出する検出手段と、
前記検出手段により前記表紙用紙を前記所定位置に供給できなくなったことが検出された場合に、当該検出手段による検出結果に基づいて、前記用紙トレイに収納された用紙を前記所定位置に供給可能であるか否か判断する供給判断手段と、
前記供給判断手段により前記用紙トレイに収納された用紙を前記所定位置に供給可能であると判断された場合に、前記記憶手段に記憶された用紙情報を参照して、前記表紙用紙の代替となる代替用紙の条件に適合する用紙が収納された用紙トレイがあるか否か判断するトレイ判断手段と、
前記トレイ判断手段により前記代替用紙の条件に適合する用紙が収納された用紙トレイがあると判断された場合に、当該用紙トレイを代替トレイとして指定する指定手段と、
前記指定手段により代替トレイとして指定された用紙トレイに収納された用紙を前記所定位置に供給する用紙搬送手段と、
を備え、
前記検出手段は、前記表紙用紙のジャムが発生したことを検出する複数のジャム検出手段を備え、
前記供給判断手段は、前記ジャム検出手段により前記表紙用紙のジャムが発生したことが検出された場合に、当該ジャムの発生を検出したジャム検出手段の配置位置に基づいて、前記用紙トレイに収納された用紙を前記所定位置に供給可能であるか否か判断することを特徴とする。
【発明の効果】
【００１５】
請求項１又は９に記載の発明によれば、表紙用紙のジャムが発生して表紙用紙を所定位置に供給できなくなっても、代替用紙を所定位置に供給できるのであれば、その代替用紙を表紙用紙の代わりに供給するようになっているため、表紙用紙のジャムが発生したことに伴うダウンタイムを短縮することができる。
【００１６】
請求項２に記載の発明によれば、請求項１に記載の発明と同様の効果が得られることは無論のこと、代替用紙は、表紙用紙と同一サイズの用紙だけでないため、従来のシステムのように表紙用紙と同一サイズの代替用紙を供給する場合と比較して、よりダウンタイムを短縮することができる。
【００１７】
請求項３に記載の発明によれば、請求項１又は２に記載の発明と同様の効果が得られることは無論のこと、代替用紙が表紙用紙と同一サイズでなくても、代替用紙を冊子の表紙に好適なサイズに断裁することができるため、使い勝手が良い。
【００１８】
請求項４に記載の発明によれば、請求項１又は２に記載の発明と同様の効果が得られることは無論のこと、用紙束と表紙用紙または代替用紙とを接合した冊子の端部を断裁するため、表紙用紙より大きいサイズの代替用紙だけでなく、それより小さいサイズの代替用紙を選択することも可能になる。
【００１９】
請求項５に記載の発明によれば、請求項１〜４の何れか一項に記載の発明と同様の効果が得られることは無論のこと、設定された代替用紙の条件に適合する用紙が収納された用紙トレイを代替トレイとすることができるため、好適である。
【００２０】
請求項６に記載の発明によれば、請求項１〜５の何れか一項に記載の発明と同様の効果が得られることは無論のこと、代替用紙の条件は、用紙の幅、長さ、坪量及び紙種のうちの少なくとも１つであるため、好適である。
【００２１】
請求項７に記載の発明によれば、請求項１〜６の何れか一項に記載の発明と同様の効果が得られることは無論のこと、選択された用紙トレイを代替トレイとすることができるため、好適である。
【００２２】
請求項８に記載の発明によれば、請求項１〜７の何れか一項に記載の発明と同様の効果が得られることは無論のこと、表紙用紙の用紙切れが発生して表紙用紙を所定位置に供給できなくなっても、代替用紙を表紙用紙の代わりに供給するようになっているため、表紙用紙の用紙切れが発生したことに伴うダウンタイムを短縮することができる。
【発明を実施するための最良の形態】
【００２３】
以下、図を参照して、本発明を実施するための最良の形態を詳細に説明する。なお、発明の範囲は、図示例に限定されない。
【００２４】
［第１の実施の形態］
第１の実施の形態では、本発明にかかる画像形成システムの最良の形態を説明する。
図１は、本実施形態の画像形成システムの構成を示す模式図であり、図２は、本実施形態の画像形成システムの機能的構成を示すブロック図である。図３は、本実施形態の画像形成システムが備える製本装置としてのくるみ製本機の断面構成を模式的に示す図である。
【００２５】
＜画像形成システム＞
画像形成システム１０００は、例えば、図１及び図２に示すように、大容量給紙装置１ａが接続された画像形成装置１と、後処理装置であるマルチ折り装置３及び製本装置としてのくるみ製本機５と、を備えて構成される。具体的には、画像形成システム１０００では、例えば、画像形成装置１とマルチ折り装置３とがシリアル通信によりデータ送受信可能に接続され、マルチ折り装置３とくるみ製本機５とがシリアル通信によりデータ送受信可能に接続されている。
画像形成システム１０００では、例えば、画像形成装置１で、所定の用紙に画像を形成し、マルチ折り装置３で、その画像が形成された用紙等に後処理（折り処理等）が施され、くるみ製本機５で、その画像が形成された用紙等（マルチ折り装置３で後処理が施された用紙も含む）を集積して束にした一冊の用紙束を所定位置Ｐ１に供給された表紙用紙と接合することにより、その用紙束を冊子に製本して集積するようになっている。本実施形態においては、作成される冊子の表紙を、くるみ製本機５に給紙された表紙用紙を用いて形成できるだけでなく、画像形成装置１やマルチ折り装置３に給紙された用紙を用いて形成できるようになっている。
【００２６】
＜画像形成装置＞
画像形成装置１は、例えば、用紙に画像を形成して出力する装置である。
具体的には、画像形成装置１は、例えば、図１及び図２に示すように、シリアル通信部１１と、操作部１２と、用紙収納部１３と、原稿トレイ用給送部１４と、画像読取部１５と、画像データ記憶部１６と、画像形成部１７と、搬送部１８と、メモリ部１９と、画像形成装置制御部２０と、等を備えて構成される。
【００２７】
シリアル通信部１１は、例えば、シリアル通信Ｉ／Ｆ等により構成されている。シリアル通信部１１は、例えば、マルチ折り装置３の上流側シリアル通信部３１と接続され、例えば、画像形成装置制御部２０から入力される制御信号に従って、画像形成装置１とマルチ折り装置３との間でのシリアル通信によるデータ送受信を制御する。
【００２８】
操作部１２は、例えば、図２に示すように、表示部１２ａ及び入力部１２ｂを備えて構成される。
【００２９】
表示部１２ａは、例えば、ＬＣＤ（Liquid Crystal Display）等により構成され、例えば、画像形成装置制御部２０から入力される制御信号に従って、表示画面上に各種操作ボタンや装置の状態、各機能の動作状況などの表示を行う。
【００３０】
入力部１２ｂは、例えば、操作キーと、表示部１２ａ（ＬＣＤ）と一体的に形成されたタッチパネルと、等により構成され、例えば、ユーザによる操作キーの押下操作やタッチパネルの押圧操作に応じた操作信号を画像形成装置制御部２０に出力する。
【００３１】
具体的には、入力部１２ｂは、例えば、条件設定手段として、代替用紙の条件をユーザが設定する際に使用される。ここで、代替用紙とは、表紙用紙の代替となる用紙のことである。
また、入力部１２ｂは、例えば、トレイ選択手段として、代替トレイとする用紙トレイをユーザが選択する際に使用される。ここで、代替トレイとは、代替用紙が収納（載置）された用紙トレイのことである。
【００３２】
より具体的には、画像形成装置制御部２０は、例えば、図４に示すような画面を表示部１２ａに表示させて、表紙用紙のジャム又は表紙用紙の用紙切れが発生して表紙用紙が供給できなくなった際に、代替用紙があれば、それを表紙用紙の代わりに供給するか否かをユーザに選択させるようになっている。
ユーザは、例えば、表紙用紙のジャム又は表紙用紙の用紙切れが発生して表紙用紙が供給できなくなった際に、代替用紙があれば、それを表紙用紙の代わりに供給することを選択する場合、すなわち、供給継続モードを設定する場合、「はい」を押圧して、その後「決定」を押圧するようになっている。そして、画像形成装置制御部２０は、例えば、供給継続モードが設定されたことをメモリ部１９に記憶させるようになっている。
一方、ユーザは、例えば、表紙用紙のジャム又は表紙用紙の用紙切れが発生して表紙用紙が供給できなくなった際に、代替用紙があっても、それを表紙用紙の代わりに供給しないことを選択する場合、すなわち、供給非継続モードを設定する場合、「いいえ」を押圧して、その後「決定」を押圧するようになっている。そして、画像形成装置制御部２０は、例えば、供給非継続モードが設定されたことをメモリ部１９に記憶させるようになっている。
【００３３】
次いで、図４に示す画面において、「はい」が押圧されて、その後「決定」が押圧された場合、画像形成装置制御部２０は、例えば、図５に示すような画面を表示部１２ａに表示させて、設定した条件に適合する用紙を代替用紙とするか、或いは、選択した用紙トレイに収納された用紙を代替用紙とするか、をユーザに選択させるようになっている。
ユーザは、例えば、設定した条件に適合する用紙を代替用紙とすることを選択する場合、「１」を押圧して、その後「決定」を押圧するようになっている。
一方、ユーザは、例えば、選択した用紙トレイに収納された用紙を代替用紙とすることを選択する場合、「２」を押圧して、その後「決定」を押圧するようになっている。
【００３４】
次いで、図５に示す画面において、「１」が押圧されて、その後「決定」が押圧された場合、画像形成装置制御部２０は、例えば、図６に示すような画面を表示部１２ａに表示させて、代替用紙の条件をユーザに設定させるようになっている。
そして、画像形成装置制御部２０は、例えば、代替用紙の条件（「幅」、「長さ」、「坪量」及び「紙種」）が設定されて、「決定」が押圧されると、その設定された代替用紙の条件等をメモリ部１９に記憶させるようになっている。
【００３５】
また、図５に示す画面において、「２」が押圧されて、その後「決定」が押圧された場合、画像形成装置制御部２０は、例えば、図７に示すような画面を表示部１２ａに表示させて、代替トレイとする用紙トレイをユーザに選択させるようになっている。なお、代替トレイとする用紙トレイは、例えば、複数選択できることとする。
そして、画像形成装置制御部２０は、例えば、代替トレイとする用紙トレイが選択されて、「決定」が押圧されると、その選択された用紙トレイを識別するための識別情報等をメモリ部１９に記憶させるようになっている。
【００３６】
用紙収納部１３は、例えば、用紙が収納された用紙トレイとしての給紙トレイ１３ａ等により構成されている。本実施形態において、用紙収納部１３は、画像形成装置１が備える３つの給紙トレイ１３ａと、大容量給紙装置１ａが備える３つの給紙トレイ１３ａと、等により構成されている。
用紙収納部１３の各給紙トレイ１３ａは、例えば、用紙の収納の有無を検出する有無検出部１３ｂと、収納されている用紙のサイズを検出するサイズ検出部１３ｃと、等を備え、検出信号を画像形成装置制御部２０に出力する。
【００３７】
原稿トレイ用給送部１４は、例えば、ＡＤＦ（Auto Document Feeder）等により構成され、例えば、画像形成装置制御部２０から入力される制御信号に従って、原稿トレイＴ１に載置された原稿を一枚ずつ順に、コンタクトガラス上に自動給送する。
【００３８】
画像読取部１５は、例えば、原稿を載置するコンタクトガラスの下部にスキャナを備えて構成され、例えば、画像形成装置制御部２０から入力される制御信号に従って、原稿の画像を読み取る。スキャナは、光源やＣＣＤ（Charge Coupled Device）などにより構成され、光源から原稿へ照明走査した光の反射光を結像して光電変換することにより原稿の画像を読み取り、読み取った画像をＡ／Ｄ変換器によりデジタル画像データに変換して画像形成装置制御部２０に出力する。ここで、画像は、図形や写真などのイメージデータに限らず、文字や記号などのテキストデータ等も含む。
【００３９】
画像データ記憶部１６は、例えば、ＤＲＡＭ（Dynamic Random Access Memory）等により構成され、例えば、画像形成装置制御部２０から入力される制御信号に従って、画像読取部１５により生成された画像データを一時的に記憶する。
【００４０】
画像形成部１７は、例えば、静電潜像が形成される感光体ドラムと、感光体ドラムを一様に帯電させる帯電装置と、画像データに応じてＯＮ／ＯＦＦされるレーザ光を一様に帯電された感光体表面に照射して静電潜像を形成するレーザユニットと、静電潜像をトナー像に顕像化する現像装置と、感光体表面のトナー像を搬送されてきた用紙に転写した後、用紙を感光体表面から分離させる転写分離装置と、転写後の感光体表面に残ったトナーを除去するクリーニング装置と、用紙上のトナー像を加熱加圧して固着する定着装置と、等により構成され、例えば、画像形成装置制御部２０から入力される制御信号に従って、電子写真方式等により用紙上に画像を形成する。そして、トナーの定着が行われた用紙は、搬送部１８によりマルチ折り装置３へ搬送される。
【００４１】
搬送部１８は、例えば、搬送ローラや搬送ベルト、これらを駆動するモータなどにより構成され、例えば、画像形成装置制御部２０から入力される制御信号に従って、用紙収納部１３（給紙トレイ１３ａ）に収納されている用紙を、搬送経路に沿って搬送してマルチ折り装置３に向けて排出する。
【００４２】
メモリ部１９は、例えば、ＨＤＤ（Hard Disk Drive）等により構成されている。
具体的には、メモリ部１９は、例えば、画像形成装置制御部２０から入力される制御信号に従って、ユーザ（入力部１２ｂ）により設定された代替用紙の条件や、ユーザ（入力部１２ｂ）により選択された代替トレイとする用紙トレイを識別するための識別情報などを記憶する。
【００４３】
また、メモリ部１９は、例えば、画像形成装置制御部２０から入力される制御信号に従って、例えば、記憶手段として、用紙トレイ（画像形成装置１及び大容量給紙装置１ａの給紙トレイ１３ａやマルチ折り装置３のＰＩトレイ３３ａ）に収納された用紙に関する用紙情報や表紙用紙トレイ（くるみ製本機５の表紙給紙トレイ５９ａ）に収納された用紙に関する用紙情報を記憶する。
ここで、用紙情報とは、例えば、用紙の幅、長さ、坪量、紙種等の情報である。例えば、ユーザ（入力部１２ｂ）によって、用紙トレイ（給紙トレイ１３ａやＰＩトレイ３３ａ）や表紙用紙トレイ（表紙給紙トレイ５９ａ）に収納された用紙の幅、長さ、坪量、紙種等が登録された場合に、その登録された事項が用紙情報としてメモリ部１９に記憶されるようになっている。また、給紙トレイ１３ａが備えるサイズ検出部１３ｃからの検出信号やＰＩトレイ３３ａが備えるサイズ検出部３３ｃからの検出信号、表紙給紙トレイ５９ａが備えるサイズ検出部５９ｃからの検出信号が画像形成装置制御部２０に入力された場合に、その入力された検出信号に基づく値が用紙情報（用紙の幅や長さ）としてメモリ部１９に記憶されるようになっている。
【００４４】
画像形成装置制御部２０は、画像形成装置１を構成する各部の動作を集中制御する。
具体的には、画像形成装置制御部２０は、例えば、図２に示すように、ＣＰＵ（Central Processing Unit）２０１と、ＲＡＭ（Random Access Memory）２０２と、記憶部２０３と、等を備えて構成される。
【００４５】
ＣＰＵ２０１は、例えば、記憶部２０３に記憶された画像形成装置１用の各種処理プログラムに従って各種の制御動作を行う。
【００４６】
ＲＡＭ２０２は、例えば、ＣＰＵ２０１によって実行される処理プログラムなどを展開するためのプログラム格納領域や、入力データや上記処理プログラムが実行される際に生じる処理結果などを格納するデータ格納領域などを備える。
【００４７】
記憶部２０３は、例えば、画像形成装置１で実行可能なシステムプログラム、当該システムプログラムで実行可能な各種処理プログラム、これら各種処理プログラムを実行する際に使用されるデータなどを記憶する。なお、プログラムは、コンピュータが読み取り可能なプログラムコードの形で記憶部２０３に記憶されている。
【００４８】
具体的には、記憶部２０３は、例えば、図２に示すように、トレイ判断プログラム２０３ａと、指定プログラム２０３ｂと、代替用紙搬送制御プログラム２０３ｃと、等を記憶している。
【００４９】
トレイ判断プログラム２０３ａを実行したＣＰＵ２０１は、例えば、トレイ判断手段として、くるみ製本機５（供給判断プログラム６３３ａを実行したＣＰＵ６３１）により用紙トレイ（給紙トレイ１３ａやＰＩトレイ３３ａ）に収納された用紙（代替用紙）を所定位置Ｐ１に供給可能であると判断された場合に、メモリ部１９に記憶された用紙情報を参照して、表紙用紙の代替となる代替用紙の条件に適合する用紙が収納された用紙トレイがあるか否か判断する。
【００５０】
具体的には、ＣＰＵ２０１は、例えば、くるみ製本機５から送信された代替用紙の供給を要求する代替用紙供給要求信号を受信した場合に、メモリ部１９に記憶された用紙情報を参照して、ユーザ（入力部１２ｂ）により設定されてメモリ部１９に記憶された代替用紙の条件に適合する用紙が収納された用紙トレイがあるか否か判断する。
【００５１】
より具体的には、例えば、代替用紙の条件として「幅：２９７ｍｍ固定」、「長さ：３３０ｍｍ以上」、「坪量：９０ｇ紙以上」及び「紙種：特に問わない」が設定されている場合、幅が２９７ｍｍ、長さが３３０ｍｍ以上、坪量が９０ｇ紙以上及び紙種が任意の用紙が収納された用紙トレイがある場合、ＣＰＵ２０１は、代替用紙の条件に適合する用紙が収納された用紙トレイがあると判断する。
【００５２】
指定プログラム２０３ｂを実行したＣＰＵ２０１は、例えば、指定手段として、トレイ判断プログラム２０３ａを実行したＣＰＵ２０１により代替用紙の条件に適合する用紙が収納された用紙トレイ（給紙トレイ１３ａやＰＩトレイ３３ａ）があると判断された場合に、その用紙トレイを代替トレイとして指定するとともに、ユーザ（入力部１２ｂ）により代替トレイとする用紙トレイ（給紙トレイ１３ａやＰＩトレイ３３ａ）が選択された場合に、その用紙トレイを代替トレイとして指定する。
すなわち、ＣＰＵ２０１は、例えば、ユーザ（入力部１２ｂ）により供給継続モードが設定されて代替用紙の条件が設定された場合、その設定された代替用紙の条件に適合する用紙が収納された用紙トレイを代替トレイとして指定し、例えば、ユーザ（入力部１２ｂ）により供給継続モードが設定されて代替トレイとする用紙トレイが選択された場合、その選択された用紙トレイを代替トレイとして指定する。
無論、代替トレイとして指定される用紙トレイは、用紙切れになっていないこととする。
【００５３】
ここで、ＣＰＵ２０１は、代替トレイとして指定可能な用紙トレイが複数ある場合、例えば、その複数の用紙トレイのうち、表紙用紙のサイズ以上のサイズを有する用紙を収納する用紙トレイを代替トレイとして指定するようになっている。さらに、ＣＰＵ２０１は、その複数の用紙トレイ（代替トレイとして指定可能な用紙トレイ）の中に、表紙用紙のサイズ以上のサイズを有する用紙を収納する用紙トレイが複数ある場合、例えば、その複数の用紙トレイ（表紙用紙のサイズ以上のサイズを有する用紙を収納する用紙トレイ）のうち、表紙用紙のサイズに最も近いサイズを有する用紙を収納する用紙トレイを代替トレイとして指定するようになっている。
一方、その複数の用紙トレイ（代替トレイとして指定可能な用紙トレイ）の中に、表紙用紙のサイズ以上のサイズを有する用紙を収納する用紙トレイがない場合、例えば、その複数の用紙トレイ（代替トレイとして指定可能な用紙トレイ）のうち、表紙用紙のサイズに最も近いサイズを有する用紙を収納する用紙トレイを代替トレイとして指定するようになっている。
【００５４】
そして、代替トレイとして指定された用紙トレイがＰＩトレイ３３ａである場合、ＣＰＵ２０１は、例えば、シリアル通信部１１を制御して、代替トレイとして指定されたＰＩトレイ２２ａを識別するための識別情報等を含む代替トレイ指定信号をマルチ折り装置３に送信させるようになっている。
【００５５】
代替用紙搬送制御プログラム２０３ｃを実行したＣＰＵ２０１は、例えば、搬送部１８を制御して、指定プログラム２０３ｂを実行したＣＰＵ２０１により代替トレイとして指定された用紙トレイ（給紙トレイ１３ａ）に収納された用紙（代替用紙）を所定位置Ｐ１に供給するために、その代替用紙をマルチ折り装置３へ搬送させる。これにより、代替用紙は、マルチ折り装置３を介してくるみ製本機３に搬送される。
【００５６】
＜マルチ折り装置＞
マルチ折り装置３は、例えば、用紙を折ったり用紙にパンチ穴を開けたりする装置である。
具体的には、マルチ折り装置３は、例えば、図１及び図２に示すように、上流側シリアル通信部３１と、下流側シリアル通信部３２と、用紙挿入部３３と、パンチング部３４と、折り部３５と、ＰＩトレイ用給送部３６と、搬送部３７と、マルチ折り装置制御部３８と、等を備えて構成される。
【００５７】
上流側シリアル通信部３１は、例えば、シリアル通信Ｉ／Ｆ等により構成されている。上流側シリアル通信部３１は、例えば、画像形成装置１のシリアル通信部１１と接続され、例えば、マルチ折り装置制御部３８から入力される制御信号に従って、マルチ折り装置３と画像形成装置１との間でのシリアル通信によるデータ送受信を制御する。
【００５８】
下流側シリアル通信部３２は、例えば、シリアル通信Ｉ／Ｆ等により構成されている。下流側シリアル通信部３２は、例えば、くるみ製本機５のシリアル通信部５１と接続され、例えば、マルチ折り装置制御部３８から入力される制御信号に従って、マルチ折り装置３とくるみ製本機５との間でのシリアル通信によるデータ送受信を制御する。
【００５９】
用紙挿入部３３は、例えば、用紙が収納（載置）された用紙トレイとしてのペーパーインサータ用トレイ（ＰＩトレイ３３ａ）等により構成されている。本実施形態において、用紙挿入部３３は、２つのＰＩトレイ３３ａ等により構成されている。
用紙挿入部３３の各ＰＩトレイ３３ａは、例えば、用紙の収納の有無を検出する有無検出部３３ｂと、収納されている用紙のサイズを検出するサイズ検出部３３ｃと、等を備え、検出信号をマルチ折り装置制御部３８に出力する。
【００６０】
パンチング部３４は、例えば、マルチ折り装置制御部３８から入力される制御信号に従って、画像形成装置１又はＰＩトレイ３３ａから搬入された用紙を整合して、所定位置にパンチ穴を開けるパンチ処理を行う。
【００６１】
折り部３５は、例えば、マルチ折り装置制御部３８から入力される制御信号に従って、画像形成装置１又はＰＩトレイ３３ａから搬入された用紙に対して、中折り処理や３つ折り処理、Ｚ折り処理などの各種折り処理を行う。
【００６２】
ＰＩトレイ用給送部３６は、例えば、マルチ折り装置制御部３８から入力される制御信号に従って、ＰＩトレイ３３ａに収納（載置）された用紙を一枚ずつ順に、搬送経路に自動給送する。
【００６３】
搬送部３７は、例えば、搬送ローラや搬送ベルト、これらを駆動するモータなどにより構成され、例えば、マルチ折り装置制御部３８から入力される制御信号に従って、画像形成装置１又はＰＩトレイ３３ａから搬入された用紙を、搬送経路に沿って搬送してくるみ製本機５に向けて排出する。
【００６４】
マルチ折り装置制御部３８は、マルチ折り装置３を構成する各部の動作を集中制御する。
具体的には、マルチ折り装置制御部３８は、例えば、図２に示すように、ＣＰＵ３８１と、ＲＡＭ３８２と、記憶部３８３と、等を備えて構成される。
【００６５】
ＣＰＵ３８１は、例えば、記憶部３８３に記憶されたマルチ折り装置３用の各種処理プログラムに従って各種の制御動作を行う。
【００６６】
ＲＡＭ３８２は、例えば、ＣＰＵ３８１によって実行される処理プログラムなどを展開するためのプログラム格納領域や、入力データや上記処理プログラムが実行される際に生じる処理結果などを格納するデータ格納領域などを備える。
【００６７】
記憶部３８３は、例えば、マルチ折り装置３で実行可能なシステムプログラム、当該システムプログラムで実行可能な各種処理プログラム、これら各種処理プログラムを実行する際に使用されるデータなどを記憶する。なお、プログラムは、コンピュータが読み取り可能なプログラムコードの形で記憶部３８３に記憶されている。
【００６８】
具体的には、記憶部３８３は、例えば、図２に示すように、代替用紙搬送制御プログラム３８３ａ等を記憶している。
【００６９】
代替用紙搬送制御プログラム３８３ａを実行したＣＰＵ３８１は、例えば、搬送部３７等を制御して、画像形成装置１（指定プログラム２０３ｂを実行したＣＰＵ２０１）により代替トレイとして指定された用紙トレイ（給紙トレイ１３ａやＰＩトレイ３３ａ）に収納された用紙（代替用紙）を所定位置Ｐ１に供給するために、その代替用紙をくるみ製本機５へ搬送させる。
【００７０】
具体的には、代替トレイとして指定された用紙トレイが給紙トレイ１３ａである場合、ＣＰＵ３８１は、例えば、搬送部３７を制御して、画像形成装置１から搬入された代替用紙をくるみ製本機５へ搬送させる。
また、代替トレイとして指定された用紙トレイがＰＩトレイ３３ａである場合、ＣＰＵ３８１は、例えば、画像形成装置１から送信された代替トレイ指定信号を受信すると、その信号に従ってＰＩトレイ用給送部３６及び搬送部３７を制御して、指定されたＰＩトレイ３３ａに収納された代替用紙をくるみ製本機５へ搬送させる。
【００７１】
＜くるみ製本機＞
くるみ製本機５は、例えば、用紙を集積して束にした一冊の用紙束を、所定位置Ｐ１に供給された表紙用紙と接合することにより、その用紙束を冊子に製本する製本機である。
具体的には、くるみ製本機５は、例えば、シリアル通信部５１と、サブコンパイル部５２と、クランプ部５３と、糊塗布部５４と、断裁部５５と、角背成形部５６と、冊子搬送部５７と、冊子収容部５８と、表紙用紙収納部５９と、表紙用紙搬送部６０と、ジャム検出部６１と、用紙搬送部６２と、くるみ製本機制御部６３と、等を備えて構成され、用紙束に糊を塗布して、角背成形部５６内の所定位置Ｐ１に供給された表紙用紙でその用紙束をくるむことによって、冊子を作成する。
【００７２】
シリアル通信部５１は、例えば、シリアル通信Ｉ／Ｆ等により構成されている。シリアル通信部５１は、例えば、マルチ折り装置３の下流側シリアル通信部３２と接続され、例えば、くるみ製本機制御部６３から入力される制御信号に従って、くるみ製本機５とマルチ折り装置３との間でのシリアル通信によるデータ送受信を制御する。
【００７３】
サブコンパイル部５２は、例えば、くるみ製本機制御部６３から入力される制御信号に従って、クランプ部５３が一冊分の用紙束に対してクランプ処理を実施している間、マルチ折り装置３から搬入された次にクランプ処理される分の用紙をスタック集積する。
【００７４】
クランプ部５３は、例えば、くるみ製本機制御部６３から入力される制御信号に従って、サブコンパイル部５２においてスタック集積された用紙を取得して集積し、所定枚数（一冊分の枚数）に到達した時点でクランプ（固める）処理を実施する。
【００７５】
糊塗布部５４は、例えば、くるみ製本機５の前後方向中心よりも後方側に位置しており、例えば、くるみ製本機制御部６３から入力される制御信号に従って、糊塗布時に前進して、後退する時にクランプ処理された用紙束の下端面に糊を塗布する。
ここで、くるみ製本機５には、例えば、図示しない糊補給部が備えられており、糊補給部によって糊塗布部５４に糊が補給されるようになっている。
【００７６】
断裁部５５は、例えば、くるみ製本機制御部６３から入力される制御信号に従って、例えば、断裁手段として、所定位置Ｐ１に供給される表紙用紙又は代替用紙、すなわち、表紙給紙トレイ５９ａに収納された表紙用紙及び代替トレイとして指定された用紙トレイ（給紙トレイ１３ａやＰＩトレイ３３ａ）に収納された用紙（代替用紙）を、冊子の表紙に好適なサイズに断裁する。
具体的には、くるみ製本機制御部６３は、例えば、クランプ部５３において、クランプ処理された用紙束の厚みを計測し、次いで、その用紙束を形成する用紙のサイズ（幅及び長さ）と、計測した用紙束の厚みと、に基づいて、冊子の表紙に好適なサイズを決定し、次いで、断裁部５５において、所定位置Ｐ１に供給される表紙用紙又は代替用紙をその決定したサイズに断裁する。
【００７７】
角背成形部５６は、例えば、クランプ部５３の下方に位置しており、例えば、くるみ製本機制御部６３から入力される制御信号に従って、所定位置Ｐ１に供給された表紙用紙又は代替用紙を載せて上昇し、糊が塗布された用紙束の下端面にその表紙用紙又は代替用紙を貼り付ける。
【００７８】
冊子搬送部５７は、例えば、搬送ローラや搬送ベルト、これらを駆動するモータなどにより構成され、例えば、くるみ製本機制御部６３から入力される制御信号に従って、完成した冊子を、搬送経路に沿って搬送して冊子収容部５８に向けて排出する。
【００７９】
冊子収容部５８は、例えば、くるみ製本機制御部６３から入力される制御信号に従って、完成した冊子を集積する。
【００８０】
表紙用紙収納部５９は、例えば、表紙用紙が収納された表紙用紙トレイとしての表紙給紙トレイ５９ａ等により構成されている。本実施形態において、表紙用紙収納部５９は、くるみ製本機５が備える１つの表紙給紙トレイ５９ａ等により構成されている。
表紙用紙収納部５９の表紙給紙トレイ５９ａは、例えば、表紙用紙の収納の有無を検出する有無検出部５９ｂと、収納されている表紙用紙のサイズを検出するサイズ検出部５９ｃと、等を備え、検出信号をくるみ製本機制御部６３に出力する。
ここで、表紙用紙を所定位置Ｐ１に供給できなくなったことを検出する検出手段（具体的には、表紙給紙トレイ５９ａが用紙切れになったことを検出する用紙切れ検出手段）は、表紙給紙トレイ５９ａが備える有無検出部５９ｂにより構成される。
【００８１】
表紙用紙搬送部６０は、例えば、搬送ローラや搬送ベルト、これらを駆動するモータなどにより構成され、例えば、くるみ製本機制御部６３から入力される制御信号に従って、
例えば、表紙用紙搬送手段として、表紙給紙トレイ５９ａに収納されている表紙用紙を、搬送経路に沿って搬送して所定位置Ｐ１に供給する。
具体的には、表紙用紙搬送部６０は、例えば、表紙給紙トレイ５９ａから合流地点Ｐ２までの搬送経路Ｒ１に沿って表紙用紙を搬送する第１搬送部６０ａと、合流地点Ｐ２から所定位置Ｐ１までの搬送経路Ｒ２に沿って表紙用紙を搬送する第２搬送部６０ｂと、等により構成される。
ここで、合流地点Ｐ２とは、表紙用紙を所定位置Ｐ１に供給するための搬送経路と、マルチ折り装置３から搬入された用紙（代替用紙）を所定位置Ｐ１に供給するための搬送経路と、が合流する地点を指す。
【００８２】
ジャム検出部６１は、例えば、表紙用紙のジャムが発生したことを検出し、検出信号をくるみ製本機制御部６３に出力する。
具体的には、ジャム検出部６１は、例えば、表紙給紙トレイ５９ａから合流地点Ｐ２までの搬送経路Ｒ１上に配置され、搬送経路Ｒ１でジャムが発生したことを検出する第１ジャム検出部６１ａ…と、合流地点Ｐ２から所定位置Ｐ１までの搬送経路Ｒ２上に配置され、搬送経路Ｒ２でジャムが発生したことを検出する第２検出部６１ｂ…と、等により構成される。
ここで、表紙用紙を所定位置Ｐ１に供給できなくなったことを検出する検出手段は、（具体的には、表紙用紙のジャムが発生したことを検出する複数のジャム検出手段）は、第１ジャム検出部６１ａ…及び第２ジャム検出部６１ｂ…により構成される。
【００８３】
用紙搬送部６２は、例えば、搬送ローラや搬送ベルト、これらを駆動するモータなどにより構成され、例えば、くるみ製本機制御部６３から入力される制御信号に従って、マルチ折り装置３から搬入された用紙を、搬送経路に沿って排紙トレイＴ２、サブコンパイル部５２又は所定位置Ｐ１（合流地点Ｐ２）に搬送する。
具体的には、用紙搬送部６２は、例えば、マルチ折り装置３から搬入された用紙を搬送経路Ｒ３及びＲ４に沿って排紙トレイＴ２に搬送する第１搬送部６２ａ及び第２搬送部６２ｂと、マルチ折り装置３から搬入された用紙を搬送経路Ｒ３及びＲ５に沿ってサブコンパイル部５２に搬送する第１搬送部６２ａ及び第３搬送部６２ｃと、マルチ折り装置３から搬入された用紙を搬送経路Ｒ６に沿って合流地点Ｐ２に搬送する第４搬送部６２ｄと、等により構成される。
ここで、画像形成装置１（指定プログラム２０３ｂを実行したＣＰＵ２０１）により代替トレイとして指定された用紙トレイ（給紙トレイ１３ａやＰＩトレイ３３ａ）に収納された用紙（代替用紙）を所定位置Ｐ１に供給する用紙搬送手段は、例えば、画像形成装置１の搬送部１８と、マルチ折り装置３の搬送部３７と、くるみ製本機５の用紙搬送部６２の第４搬送部６２ｄと、くるみ製本機５の表紙用紙搬送部６０の第２搬送部６０ｂと、等により構成される。
【００８４】
くるみ製本機制御部６３は、くるみ製本機５を構成する各部の動作を集中制御する。
具体的には、くるみ製本機制御部６３は、例えば、図２に示すように、ＣＰＵ６３１と、ＲＡＭ６３２と、記憶部６３３と、等を備えて構成される。
【００８５】
ＣＰＵ６３１は、例えば、記憶部６３３に記憶されたくるみ製本機５用の各種処理プログラムに従って各種の制御動作を行う。
【００８６】
ＲＡＭ６３２は、例えば、ＣＰＵ６３１によって実行される処理プログラムなどを展開するためのプログラム格納領域や、入力データや上記処理プログラムが実行される際に生じる処理結果などを格納するデータ格納領域などを備える。
【００８７】
記憶部６３３は、例えば、くるみ製本機５で実行可能なシステムプログラム、当該システムプログラムで実行可能な各種処理プログラム、これら各種処理プログラムを実行する際に使用されるデータなどを記憶する。なお、プログラムは、コンピュータが読み取り可能なプログラムコードの形で記憶部６３３に記憶されている。
【００８８】
具体的には、記憶部６３３は、例えば、図２に示すように、供給判断プログラム６３３ａと、供給要求プログラム６３３ｂと、供給制御プログラム６３３ｃと、等を記憶している。
【００８９】
供給判断プログラム６３３ａを実行したＣＰＵ６３１は、例えば、供給判断手段として、有無検出部５９ｂ、第１ジャム検出部６１ａ又は第２ジャム検出部６１ｂにより表紙用紙を所定位置Ｐ１に供給できなくなったことが検出された場合に、その検出結果に基づいて、用紙トレイ（給紙トレイ１３ａやＰＩトレイ３３ａ）に収納された用紙（代替用紙）を所定位置Ｐ１に供給可能であるか否か判断する。
【００９０】
具体的には、ＣＰＵ６３１は、例えば、有無検出部５９ｂにより表紙給紙トレイ５９ａが用紙切れになったことが検出された場合、用紙トレイに収納された用紙を所定位置Ｐ１に供給可能であると判断する。
【００９１】
また、ＣＰＵ６３１は、例えば、第１ジャム検出部６１ａ又は第２ジャム検出部６１ｂにより表紙用紙のジャムが発生したことが検出された場合、そのジャムの発生を検出したジャム検出部の配置位置に基づいて、用紙トレイに収納された用紙を所定位置Ｐ１に供給可能であるか否か判断する。
具体的には、第１ジャム検出部６１ａは、表紙給紙トレイ５９ａから合流地点Ｐ２までの搬送経路Ｒ１上に配置されている。搬送経路Ｒ１は、マルチ折り装置３から搬入された代替用紙を所定位置Ｐ１に供給する際に使用しない経路であるため、搬送経路Ｒ１でジャムが発生しても代替用紙を所定位置Ｐ１に供給することはできる。したがって、ＣＰＵ６３１は、例えば、第１ジャム検出部６１ａにより表紙用紙のジャムが発生したことが検出された場合、代替用紙を所定位置Ｐ１に供給可能であると判断する。
一方、第２ジャム検出部６１ｂは、合流地点Ｐ２から所定位置Ｐ１までの搬送経路Ｒ２上に配置されている。搬送経路Ｒ２は、マルチ折り装置３から搬入された代替用紙を所定位置Ｐ１に供給する際に使用する経路であるため、搬送経路Ｒ２でジャムが発生すると代替用紙を所定位置Ｐ１に供給することができない。したがって、ＣＰＵ６３１は、例えば、第２ジャム検出部６１ｂにより表紙用紙のジャムが発生したことが検出された場合、代替用紙を所定位置Ｐ１に供給可能でないと判断する。
【００９２】
供給要求プログラム６３３ｂを実行したＣＰＵ６３１は、例えば、供給判断プログラム６３３ａを実行したＣＰＵ６３１により、用紙トレイ（給紙トレイ１３ａやＰＩトレイ３３ａ）に収納された用紙（代替用紙）を所定位置Ｐ１に供給可能であると判断された場合に、シリアル通信部５１を制御して、マルチ折り装置３を介して、画像形成装置１に代替用紙の供給を要求する代替用紙供給要求信号を送信させる。
【００９３】
供給制御プログラム６３３ｃを実行したＣＰＵ６３１は、例えば、表紙用紙搬送部６０を制御して、表紙給紙トレイ５９ａに収納されている表紙用紙を所定位置Ｐ１に供給させるとともに、表紙用紙搬送部６０及び用紙搬送部６２を制御して、マルチ折り装置３から搬入された代替用紙を所定位置Ｐ１に供給させる。
【００９４】
＜製本ジョブ実行処理＞
次に、画像形成システム１０００による製本ジョブの実行に関する処理について説明する。
ここで、製本ジョブとは、冊子の製本のために画像形成システム１０００が行う画像形成処理及び製本処理に関する一連の動作を示す。例えば、複数部数の冊子を製本する場合、その複数部数分の製本に関する一連の動作が１ジョブとなる。
【００９５】
（くるみ製本機による製本ジョブ実行処理）
くるみ製本機５による製本ジョブの実行に関する処理について、図８のフローチャートを参照して説明する。
【００９６】
まず、くるみ製本機５のＣＰＵ６３１は、画像形成装置１からマルチ折り装置３を介して送信された製本ジョブ開始指示信号を、シリアル通信部５１が受信したか否かを判断する（ステップＳ１１）。
【００９７】
ステップＳ１１で、製本ジョブ開始指示信号を受信していないと判断すると（ステップＳ１１；Ｎｏ）、ＣＰＵ６３１は、ステップＳ１１の処理を繰り返し行う。
【００９８】
一方、ステップＳ１１で、製本ジョブ開始指示信号を受信したと判断すると（ステップＳ１１；Ｙｅｓ）、ＣＰＵ６３１は、製本ジョブを開始して（ステップＳ１２）、まず、表紙用紙の用紙切れが発生しているか否かを判断する（ステップＳ１３）。具体的には、ＣＰＵ６３１は、有無検出部５９ｂにより表紙給紙トレイ５９ａが用紙切れになったことが検出されている場合に、表紙用紙の用紙切れが発生していると判断する。
【００９９】
ステップＳ１３で、表紙用紙の用紙切れが発生していると判断すると（ステップＳ１３；Ｙｅｓ）、ＣＰＵ６３１は、ステップＳ１６の処理に移行する。
【０１００】
一方、ステップＳ１３で、表紙用紙の用紙切れが発生していないと判断すると（ステップＳ１３；Ｎｏ）、ＣＰＵ６３１は、表紙用紙を所定位置Ｐ１に供給するために、供給制御プログラム６３３ｃを実行して、表紙用紙搬送部６０を制御して、表紙給紙トレイ５９ａに収納されている表紙用紙を所定位置Ｐ１に向けて搬送させる（ステップＳ１４）。
【０１０１】
次いで、ＣＰＵ６３１は、ステップＳ１４で搬送された表紙用紙のジャムが発生したか否かを判断する（ステップＳ１５）。具体的には、ＣＰＵ６３１は、第１ジャム検出部６１ａ又は第２ジャム検出部６１ｂにより表紙用紙のジャムが発生したことが検出された場合に、表紙用紙のジャムが発生したと判断する。
【０１０２】
ステップＳ１５で、表紙用紙のジャムが発生していないと判断すると（ステップＳ１５；Ｎｏ）、ＣＰＵ６３１は、ステップＳ２２の処理に移行する。
【０１０３】
一方、ステップＳ１５で、表紙用紙のジャムが発生したと判断すると（ステップＳ１５；Ｙｅｓ）、ＣＰＵ６３１は、供給継続モードが設定されているか否かを判断する（ステップＳ１６）。具体的には、ＣＰＵ６３１は、例えば、製本ジョブ開始指示信号に含まれるモード情報に基づいて、供給継続モードが設定されているか否かを判断する。
【０１０４】
ステップＳ１６で、供給継続モードが設定されていないと判断すると（ステップＳ１６；Ｎｏ）、すなわち、供給非継続モードが設定されていると判断すると、ＣＰＵ６３１は、ステップＳ１９の処理に移行する。
【０１０５】
一方、ステップＳ１６で、供給継続モードが設定されていると判断すると（ステップＳ１６；Ｙｅｓ）、ＣＰＵ６３１は、供給判断プログラム６３３ａを実行して、用紙トレイ（給紙トレイ１３ａやＰＩトレイ３３ａ）に収納された用紙（代替用紙）を所定位置Ｐ１に供給可能であるか否か判断する（ステップＳ１７）。
【０１０６】
ステップＳ１７で、代替用紙を所定位置Ｐ１に供給可能でないと判断すると（ステップＳ１７；Ｎｏ）、ＣＰＵ６３１は、シリアル通信部５１を制御してマルチ折り装置３を介して、製本ジョブ停止指示信号を画像形成装置１に送信させる（ステップＳ１８）。
【０１０７】
次いで、ＣＰＵ６３１は、ステップＳ１２で開始した製本ジョブを終了又は停止させて（ステップＳ１９）、本処理を終了する。
【０１０８】
また、ステップＳ１７で、代替用紙を所定位置Ｐ１に供給可能であると判断すると（ステップＳ１７；Ｙｅｓ）、ＣＰＵ６３１は、供給要求プログラム６３３ｂを実行して、シリアル通信部５１を制御してマルチ折り装置３を介して、代替用紙供給要求信号を画像形成措置１に送信させる（ステップＳ２０）。
【０１０９】
次いで、ＣＰＵ６３１は、代替用紙供給要求信号に従ってくるみ製本機５に搬入された代替用紙を所定位置Ｐ１に供給するために、供給制御プログラム６３３ｃを実行して、表紙用紙搬送部６０及び用紙搬送部６２を制御して、くるみ製本機５に搬入された代替用紙をマルチ折り装置３から受け取って、所定位置Ｐ１に向けて搬送させる（ステップＳ２１）。
【０１１０】
次いで、ＣＰＵ６３１は、くるみ製本機５の各部を制御して、ステップＳ１２で開始した製本ジョブの内容に応じた製本処理を実行させ（ステップＳ２２）、１冊の冊子を製本する。
【０１１１】
次いで、ＣＰＵ６３１は、製本処理の実行回数が設定部数に達したか否かを判断する（ステップＳ２３）。
ここで、設定部数とは、例えば、製本ジョブにおいて製本する冊子の部数（冊数）に関する設定部数情報に基づく値である。この設定部数情報は、例えば、製本ジョブ開始指示信号に含まれていることとする。
【０１１２】
ステップＳ２３で、製本処理の実行回数が設定部数に達したと判断すると（ステップＳ２３；Ｙｅｓ）、ＣＰＵ６３１は、ステップＳ１９の処理に移行する。
【０１１３】
一方、ステップＳ２３で、製本処理の実行回数が設定部数に達していないと判断すると（ステップＳ２３；Ｎｏ）、ＣＰＵ６３１は、表紙用紙の所定位置Ｐ１への供給が不可能な状態が発生中であるか否か判断する（ステップＳ２４）。具体的には、ＣＰＵ６３１は、例えば、ステップＳ１３で表紙用紙の紙切れが発生していると判断した場合、或いは、ステップＳ１５で表紙用紙のジャムが発生したと判断した場合に、表紙用紙の所定位置Ｐ１への供給が不可能な状態が発生中であると判断する。
【０１１４】
ステップＳ２４で、表紙用紙の所定位置Ｐ１への供給が不可能な状態が発生中であると判断すると（ステップＳ２４；Ｙｅｓ）、ＣＰＵ６３１は、ステップＳ２１以降の処理を繰り返し行う。
【０１１５】
一方、ステップＳ２４で、表紙用紙の所定位置Ｐ１への供給が不可能な状態が発生中でないと判断すると（ステップＳ２４；Ｎｏ）、ＣＰＵ６３１は、ステップＳ１３以降の処理を繰り返し行う。
【０１１６】
（画像形成装置による製本ジョブ実行処理）
画像形成装置１による製本ジョブの実行に関する処理について、図９及び図１０のフローチャートを参照して説明する。
例えば、予め、ユーザ（入力部１２ｂ）によって、供給継続モード又は供給非継続モードが設定入力されていることとする。また、供給継続モードが設定入力された場合は、代替用紙の条件が設定されているか、或いは、代替トレイとする用紙トレイが選択されていることとする。
【０１１７】
まず、画像形成装置１のＣＰＵ２０１は、ユーザ（入力部１２ｂ）により製本ジョブを開始するよう指示されたか否かを判断する（ステップＳ３１）。
【０１１８】
ステップＳ３１で、製本ジョブを開始するよう指示されていないと判断すると（ステップＳ３１；Ｎｏ）、ＣＰＵ２０１は、ステップＳ３１の処理を繰り返し行う。
【０１１９】
一方、ステップＳ３１で、製本ジョブを開始するよう指示されたと判断すると（ステップＳ３１；Ｙｅｓ）、ＣＰＵ２０１は、製本ジョブを開始して（ステップＳ３２）、まず、シリアル通信部１１を制御してマルチ折り装置３を介して、製本ジョブ開始指示信号をくるみ製本機５に送信させる（ステップＳ３３）。
【０１２０】
次いで、ＣＰＵ２０１は、くるみ製本機５からマルチ折り装置３を介して送信された製本ジョブ停止指示信号を、シリアル通信部１１が受信したか否かを判断する（ステップＳ３４）。
【０１２１】
ステップＳ３４で、製本ジョブ停止指示信号を受信したと判断すると（ステップＳ３４；Ｙｅｓ）、ＣＰＵ２０１は、ステップＳ３２で開始した製本ジョブを終了又は停止させて（ステップＳ３５）、本処理を終了する。
【０１２２】
一方、ステップＳ３４で、製本ジョブ停止指示信号を受信していないと判断すると（ステップＳ３４；Ｎｏ）、ＣＰＵ２０１は、くるみ製本機５からマルチ折り装置３を介して送信された代替用紙供給要求信号を、シリアル通信部１１が受信したか否かを判断する（ステップＳ３６）。
【０１２３】
ステップＳ３６で、代替用紙供給要求信号を受信していないと判断すると（ステップＳ３６；Ｎｏ）、ＣＰＵ２０１は、ステップＳ４１の処理に移行する。
【０１２４】
一方、ステップＳ３６で、代替用紙供給要求信号を受信したと判断すると（ステップＳ３６；Ｙｅｓ）、ＣＰＵ２０１は、後述する代替トレイサーチ処理を行う（ステップＳ３７）。
【０１２５】
次いで、ＣＰＵ２０１は、代替トレイがあるか否か判断する（ステップＳ３８）。具体的には、ＣＰＵ２０１は、代替トレイサーチ処理において代替トレイとして指定された用紙トレイがある場合、代替トレイがあると判断する。
【０１２６】
ステップＳ３８で、代替トレイがないと判断すると（ステップＳ３８；Ｎｏ）、ＣＰＵ２０１は、ステップＳ３５の処理に移行する。
【０１２７】
一方、ステップＳ３８で、代替トレイがあると判断すると（ステップＳ３８；Ｙｅｓ）、ＣＰＵ２０１は、その代替トレイは、マルチ折り装置３が備えるＰＩトレイ３３ａであるか否か判断する（ステップＳ３９）。
【０１２８】
ステップＳ３９で、代替トレイはＰＩトレイ３３ａでないと判断すると（ステップＳ３９；Ｎｏ）、すなわち、代替トレイは給紙トレイ１３ａであると判断すると、ＣＰＵ２０１は、代替用紙搬送制御プログラム２０３ｃを実行して、代替トレイとして指定された給紙トレイ１３ａに収納された用紙（代替用紙）を所定位置Ｐ１に向けて搬送させる（ステップＳ４０）。具体的には、ＣＰＵ２０１は、搬送部１８を制御して、代替用紙をマルチ折り装置３へ搬送させる。そして、マルチ折り装置３のＣＰＵ３８１は、画像形成装置１から代替用紙が搬入されると、代替用紙搬送制御プログラム３８３ａを実行して、搬送部３７を制御して、その代替用紙を画像形成装置１から受け取って、くるみ製本機５に向けて搬送させる。
【０１２９】
次いで、ＣＰＵ２０１は、画像形成装置１の各部を制御して、ステップＳ３２で開始した製本ジョブの内容に応じた画像形成処理を実行させ（ステップＳ４１）、冊子１冊分の用紙（画像が形成された用紙等）を、マルチ折装置３を介してくるみ製本機５に出力する。
【０１３０】
次いで、ＣＰＵ２０１は、画像形成処理の実行回数が設定部数に達したか否かを判断する（ステップＳ４２）。
ここで、設定部数は、例えば、ユーザ（入力部１２ｂ）により製本ジョブを開始するよう指示された際に設定された、その製本ジョブにおいて製本する冊子の部数である。
【０１３１】
ステップＳ４２で、画像形成処理の実行回数が設定部数に達したと判断すると（ステップＳ４２；Ｙｅｓ）、ＣＰＵ２０１は、ステップＳ３５の処理に移行する。
【０１３２】
一方、ステップＳ４２で、画像形成処理の実行回数が設定部数に達していないと判断すると（ステップＳ４２；Ｎｏ）、ＣＰＵ２０１は、表紙用紙の所定位置Ｐ１への供給が不可能な状態が発生中であるか否か判断する（ステップＳ４３）。具体的には、ＣＰＵ２０１は、例えば、ステップＳ３６で代替用紙供給要求信号を受信した場合に、表紙用紙の所定位置Ｐ１への供給が不可能な状態が発生中であると判断する。
【０１３３】
ステップＳ４３で、表紙用紙の所定位置Ｐ１への供給が不可能な状態が発生中であると判断すると（ステップＳ４３；Ｙｅｓ）、ＣＰＵ６３１は、ステップＳ３８以降の処理を繰り返し行う。
【０１３４】
一方、ステップＳ４３で、表紙用紙の所定位置Ｐ１への供給が不可能な状態が発生中でないと判断すると（ステップＳ４３；Ｎｏ）、ＣＰＵ２０１は、ステップＳ３４以降の処理を繰り返し行う。
【０１３５】
また、ステップＳ３９で、代替トレイはＰＩトレイ３３ａであると判断すると（ステップＳ３９；Ｙｅｓ）、ＣＰＵ２０１は、シリアル通信部１１を制御して、代替トレイ指定信号をマルチ折り装置３に送信させ（ステップＳ４４）、ステップＳ４１の処理に移行する。
そして、マルチ折り装置３のＣＰＵ３８１は、画像形成装置１から送信された代替トレイ指定信号を、上流側シリアル通信部３１が受信すると、代替用紙搬送制御プログラム３８３ａを実行して、ＰＩトレイ用給送部３６及び搬送部３７を制御して、代替トレイとして指定されたＰＩトレイ３３ａに収納された用紙（代替用紙）をくるみ製本機５へ搬送させることによって、その代替用紙を所定位置Ｐ１に向けて搬送させるようになっている。
【０１３６】
（代替トレイサーチ処理）
次に、画像形成装置１による代替トレイサーチ処理（図１０のステップＳ３７）について、図１１及び図１２のフローチャートを参照して説明する。
【０１３７】
まず、画像形成装置１のＣＰＵ２０１は、メモリ部１９を参照して、ユーザ（入力部１２ｂ）により“設定した条件に適合する用紙を代替用紙とする”が設定されているか否かを判断する（ステップＳ５１）。
【０１３８】
ステップＳ５１で、“設定した条件に適合する用紙を代替用紙とする”が設定されていると判断すると（ステップＳ５１；Ｙｅｓ）、ＣＰＵ２０１は、トレイ判断プログラム２０３ａを実行して、代替用紙の条件に適合する用紙が収納された用紙トレイがあるか否か判断する（ステップＳ５２）。
【０１３９】
ステップＳ５２で、代替用紙の条件に適合する用紙が収納された用紙トレイがないと判断すると（ステップＳ５２；Ｎｏ）、ＣＰＵ２０１は、本処理を終了する。
【０１４０】
一方、ステップＳ５２で、代替用紙の条件に適合する用紙が収納された用紙トレイがあると判断すると（ステップＳ５２；Ｙｅｓ）、ＣＰＵ２０１は、指定プログラム２０３ｂを実行して、代替トレイとして指定可能な用紙トレイが複数あるか否か判断する（ステップＳ５３）。
【０１４１】
ステップＳ５３で、代替トレイとして指定可能な用紙トレイが複数ないと判断すると（ステップＳ５３；Ｎｏ）、ＣＰＵ２０１は、代替トレイとして指定可能な用紙トレイを、代替トレイとして指定して（ステップＳ５４）、本処理を終了する。
【０１４２】
一方、ステップＳ５３で、代替トレイとして指定可能な用紙トレイが複数あると判断すると（ステップＳ５３；Ｙｅｓ）、ＣＰＵ２０１は、その代替トレイとして指定可能な複数の用紙トレイの中に、表紙用紙のサイズ以上のサイズを有する用紙を収納する用紙トレイがあるか否か判断する（ステップＳ５５）。
【０１４３】
ステップＳ５５で、表紙用紙のサイズ以上のサイズを有する用紙を収納する用紙トレイがあると判断すると（ステップＳ５５；Ｙｅｓ）、ＣＰＵ２０１は、その表紙用紙のサイズ以上のサイズを有する用紙を収納する用紙トレイを、代替トレイとして指定して（ステップＳ５６）、本処理を終了する。
ここで、表紙用紙のサイズ以上のサイズを有する用紙を収納する用紙トレイが複数ある場合、ＣＰＵ２０１は、その表紙用紙のサイズ以上のサイズを有する用紙を収納する複数の用紙トレイの中で、表紙用紙のサイズに最も近いサイズを有する用紙を収納する用紙トレイを、代替トレイとして指定することとする。
【０１４４】
一方、ステップＳ５５で、表紙用紙のサイズ以上のサイズを有する用紙を収納する用紙トレイがないと判断すると（ステップＳ５５；Ｎｏ）、ＣＰＵ２０１は、代替トレイとして指定可能な複数の用紙トレイの中で、表紙用紙のサイズに最も近いサイズを有する用紙を収納する用紙トレイを、代替トレイとして指定して（ステップＳ５７）、本処理を終了する。
【０１４５】
また、ステップＳ５１で、“設定した条件に適合する用紙を代替用紙とする”が設定されていないと判断すると（ステップＳ５１；Ｎｏ）、すなわち、“選択した用紙トレイに収容された用紙を代替用紙とする”が設定されていると判断すると、ＣＰＵ２０１は、指定プログラム２０３ｂを実行して、ユーザ（入力部１２ｂ）により代替トレイとして選択された用紙トレイが複数あるか否か判断する（ステップＳ５８）。
【０１４６】
ステップＳ５８で、代替トレイとして選択された用紙トレイが複数ないと判断すると（ステップＳ５８；Ｎｏ）、ＣＰＵ２０１は、代替トレイとして選択された用紙トレイを、代替トレイとして指定して（ステップＳ５９）、本処理を終了する。
【０１４７】
一方、ステップＳ５８で、代替トレイとして選択された用紙トレイが複数あると判断すると（ステップＳ５８；Ｙｅｓ）、ＣＰＵ２０１は、その代替トレイとして選択された複数の用紙トレイの中に、表紙用紙のサイズ以上のサイズを有する用紙を収納する用紙トレイがあるか否か判断する（ステップＳ６０）。
【０１４８】
ステップＳ６０で、表紙用紙のサイズ以上のサイズを有する用紙を収納する用紙トレイがあると判断すると（ステップＳ６０；Ｙｅｓ）、ＣＰＵ２０１は、その表紙用紙のサイズ以上のサイズを有する用紙を収納する用紙トレイを、代替トレイとして指定して（ステップＳ６１）、本処理を終了する。
ここで、表紙用紙のサイズ以上のサイズを有する用紙を収納する用紙トレイが複数ある場合、ＣＰＵ２０１は、その表紙用紙のサイズ以上のサイズを有する用紙を収納する複数の用紙トレイの中で、表紙用紙のサイズに最も近いサイズを有する用紙を収納する用紙トレイを、代替トレイとして指定することとする。
【０１４９】
一方、ステップＳ６０で、表紙用紙のサイズ以上のサイズを有する用紙を収納する用紙トレイがないと判断すると（ステップＳ６０；Ｎｏ）、ＣＰＵ２０１は、代替トレイとして選択された複数の用紙トレイの中で、表紙用紙のサイズに最も近いサイズを有する用紙を収納する用紙トレイを、代替トレイとして指定して（ステップＳ６２）、本処理を終了する。
【０１５０】
以上説明した第１の実施の形態における画像形成システム１０００によれば、表紙用紙のジャムが発生したことが検出された場合に、当該ジャムの発生位置に基づいて、用紙トレイに収納された用紙を所定位置Ｐ１に供給可能であるか否か判断し、用紙トレイに収納された用紙を所定位置Ｐ１に供給可能であると判断された場合に、メモリ部１９に記憶された用紙情報を参照して、代替用紙の条件に適合する用紙が収納された用紙トレイがあるか否か判断し、代替用紙の条件に適合する用紙が収納された用紙トレイがあると判断された場合に、当該用紙トレイを代替トレイとして指定し、代替トレイとして指定された用紙トレイに収納された用紙を所定位置Ｐ１に供給するようになっている。
すなわち、表紙用紙のジャムが発生して表紙用紙を所定位置Ｐ１に供給できなくなっても、代替用紙を所定位置Ｐ１に供給できるのであれば、その代替用紙を表紙用紙の代わりに供給するようになっているため、表紙用紙のジャムが発生したことに伴うダウンタイムを短縮することができる。
【０１５１】
また、以上説明した第１の実施の形態における画像形成システム１０００によれば、代替トレイとして指定可能な用紙トレイが複数ある場合、当該複数の用紙トレイのうち、表紙用紙のサイズ以上のサイズを有する用紙を収納する用紙トレイを代替トレイとして指定するようになっている。
すなわち、代替用紙は、表紙用紙と同一サイズの用紙だけでないため、従来のシステムのように表紙用紙と同一サイズの代替用紙を供給する場合と比較して、よりダウンタイムを短縮することができる。
【０１５２】
また、以上説明した第１の実施の形態における画像形成システム１０００によれば、表紙用紙や代替用紙を、冊子の表紙に好適なサイズに断裁する断裁部５５を備えている。
したがって、代替用紙が表紙用紙と同一サイズでなくても、代替用紙を冊子の表紙に好適なサイズに断裁することができるため、使い勝手が良い。
【０１５３】
また、以上説明した第１の実施の形態における画像形成システム１０００によれば、ユーザにより設定された代替用紙の条件に適合する用紙が収納された用紙トレイを代替トレイとすることができるため、好適である。
【０１５４】
また、以上説明した第１の実施の形態における画像形成システム１０００によれば、代替用紙の条件は、用紙の幅、長さ、坪量及び紙種のうちの少なくとも１つであるため、好適である。
【０１５５】
また、以上説明した第１の実施の形態における画像形成システム１０００によれば、ユーザにより選択された用紙トレイを代替トレイとすることができるため、好適である。
【０１５６】
また、以上説明した第１の実施の形態における画像形成システム１０００によれば、表紙給紙トレイ５９ａが用紙切れになったことが検出された場合に、代替トレイとして指定された用紙トレイに収納された用紙を所定位置Ｐ１に供給するようになっている。
すなわち、表紙用紙の用紙切れが発生して表紙用紙を所定位置Ｐ１に供給できなくなっても、代替用紙を表紙用紙の代わりに供給するようになっているため、表紙用紙の用紙切れが発生したことに伴うダウンタイムを短縮することができる。
【０１５７】
［第２の実施の形態］
第２の実施の形態では、本発明にかかる製本装置の最良の形態を説明する。
図１３は、本実施形態の製本装置の機能的構成を示すブロック図である。
なお、第２の実施の形態においては、第１の実施の形態と異なる箇所のみについて説明し、その他の共通する部分は同一符号を付して説明を省略することとする。
【０１５８】
＜製本装置＞
製本装置２０００は、例えば、図１３に示すように、くるみ製本機５Ａとマルチ折り装置３とにより構成される。
ここで、くるみ製本機５Ａは、例えば、第１の実施の形態のくるみ製本機５が備えていた構成に加えて、第１の実施の形態の画像形成装置１が備えていた構成（操作部１２、メモリ部１９、トレイ判断プログラム２０３ａ及び指定プログラム２０３ｂ）を備えて構成される。
【０１５９】
以上説明した第２の実施の形態における製本装置２０００によれば、表紙用紙のジャムが発生して表紙用紙を所定位置Ｐ１に供給できなくなっても、代替用紙を所定位置Ｐ１に供給できるのであれば、その代替用紙を表紙用紙の代わりに供給するようになっているため、表紙用紙のジャムが発生したことに伴うダウンタイムを短縮することができる。また、表紙用紙の用紙切れが発生して表紙用紙を所定位置Ｐ１に供給できなくなっても、代替用紙を表紙用紙の代わりに供給するようになっているため、表紙用紙の用紙切れが発生したことに伴うダウンタイムを短縮することができる。
【０１６０】
なお、本発明は、上記した実施の形態のものに限るものではなく、その要旨を逸脱しない範囲で適宜変更可能である。
【０１６１】
第１の実施の形態において、画像形成装置１は、ＬＡＮ（Local Area Network）等の通信ネットワークを介して外部装置とデータ送受信可能に接続されていても良い。この場合、画像読取部１５により生成された画像データだけでなく、外部装置から入力されたデータに基づいて用紙に画像を形成して出力できるよう、画像形成装置１を構成すると良い。
【０１６２】
第１及び第２の実施の形態において、くるみ製本機５，５Ａは、シリアル通信部５１（上流側シリアル通信部）に加えて、下流側シリアル通信部を備えていても良い。
また、第２の実施の形態において、マルチ折り装置３は、画像形成装置１と接続されていても良い。
【０１６３】
第１の実施の形態において、画像形成装置１や大容量給紙装置１ａが備える給紙トレイ１３ａの個数は、上記実施の形態に限ることはなく任意である。
また、第１の実施の形態において、画像形成システム１０００は、大容量給紙装置１ａを備えていなくても良い。
【０１６４】
第１及び第２の実施の形態において、マルチ折り装置３が備えるＰＩトレイ３３ａの個数、くるみ製本機５，５Ａが備える表紙給紙トレイ５９ａの個数は、上記実施形態の例に限ることはなく任意である。
また、第１の実施の形態において、画像形成システム１０００は、マルチ折り装置３を備えていなくても良い。
また、第２の実施の形態において、製本装置２０００は、マルチ折り装置３を備えていなくても良い。この場合、くるみ製本機５Ａに、複数の表紙給紙トレイ５９ａを備えると良い。そして、表紙用紙トレイ（第１の表紙給紙トレイ５９ａ）に収納された表紙用紙を所定位置Ｐ１に供給できなくなった場合、用紙トレイ（第１の表紙給紙トレイ５９ａ以外の表紙給紙トレイ５９ａ）に収納された用紙（代替用紙）を所定位置Ｐ１に供給できるのであれば、その代替用紙を表紙用紙の代わりに供給するように、くるみ製本機５Ａを構成すると良い。
【０１６５】
第１及び第２の実施の形態において、製本装置は、一冊の用紙束に糊を塗布し、その用紙束を表紙用紙でくるむことによって冊子を作成するくるみ製本機５，５Ａに限ることはなく、一冊の用紙束を、表紙用紙と接合することにより、その用紙束を冊子に製本する製本装置であれば任意であり、例えば、一冊の用紙束を、ステイプル綴じによって表紙用紙と接合することにより、その用紙束を冊子に製本する製本装置等であっても良い。
【０１６６】
第１及び第２の実施の形態において、第１ジャム検出部６１ａ及び第２ジャム検出部６１ｂの配置位置や個数は、上記実施形態の例に限ることはなく任意である。
無論、第１及び第２の実施の形態において、搬送経路Ｒ１及び搬送経路Ｒ２以外の搬送経路にも、ジャム検出部を備えるようにしても良い。
【０１６７】
第１及び第２の実施の形態において、ユーザ（入力部１２ｂ）により代替用紙の条件が設定されず、かつ、ユーザ（入力部１２ｂ）により代替トレイとする用紙トレイが選択されない場合、すなわち、代替用紙に関する設定がデフォルトのままである場合は、例えば、表紙用紙のサイズ以上のサイズを有する用紙を代替用紙として供給するよう構成すると良い。
【０１６８】
第１及び第２の実施の形態において、代替用紙の条件は、用紙の幅、長さ、坪量及び紙種のうちの少なくとも１つであれば良い。
【０１６９】
第１及び第２の実施の形態において、断裁部５５は、表紙となる表紙用紙または代替用紙のみを接合前に用紙束の大きさに適合させるように断裁するものであるが、この様な断裁部に限らず、表紙となる用紙を接合した後の冊子の端部を断裁して、最終的な冊子サイズにするもの（冊子断裁手段）であっても構わない。その様な断裁部の場合は、表紙用紙の代わりに選択される代替用紙のサイズは、最終的に作製される冊子サイズ以上であれば良いため、元の表紙用紙よりも小さいサイズを選択することも可能となり、選択の幅が広がる。
【図面の簡単な説明】
【０１７０】
【図１】第１の実施の形態の画像形成システムの構成を示す模式図である。
【図２】第１の実施の形態の画像形成システムの機能的構成を示すブロック図である。
【図３】第１の実施の形態の画像形成システムが備える製本装置（くるみ製本機）の断面構成を模式的に示す図である。
【図４】表示部に表示される、表紙用紙のジャム又は表紙用紙の用紙切れが発生して表紙用紙が供給できなくなった際に、代替用紙があれば、それを表紙用紙の代わりに供給するか否かをユーザに選択させるための画面の一例を示す図である。
【図５】表示部に表示される、設定した条件に適合する用紙を代替用紙とするか、或いは、選択した用紙トレイに収納された用紙を代替用紙とするか、をユーザに選択させるための画面の一例を示す図である。
【図６】表示部に表示される、代替用紙の条件をユーザに設定させるための画面の一例を示す図である。
【図７】表示部に表示される、代替トレイとする用紙トレイをユーザに選択させるための画面の一例を示す図である。
【図８】くるみ製本機による製本ジョブの実行に関する処理を説明するためのフローチャートである。
【図９】画像形成装置による製本ジョブの実行に関する処理を説明するための第１フローチャートである。
【図１０】画像形成装置による製本ジョブの実行に関する処理を説明するための第２フローチャートである。
【図１１】画像形成装置による代替トレイサーチ処理を説明するための第１フローチャートである。
【図１２】画像形成装置による代替トレイサーチ処理を説明するための第２フローチャートである。
【図１３】第２の実施の形態の製本装置の機能的構成を示すブロック図である。
【符号の説明】
【０１７１】
１  画像形成装置
５  くるみ製本機（製本装置）
１２ｂ  入力部（条件設定手段、トレイ選択手段）
１３ａ  給紙トレイ（用紙トレイ）
１８  搬送部（用紙搬送手段）
１９  メモリ部（記憶手段）
３３ａ  ＰＩトレイ（用紙トレイ）
３７  搬送部（用紙搬送手段）
５５  断裁部（断裁手段）
５９ａ  表紙給紙トレイ（表紙用紙トレイ）
５９ｂ  有無検出部（検出手段、用紙切れ検出手段）
６０  表紙用紙搬送部（表紙用紙搬送手段、用紙搬送手段）
６１ａ  第１ジャム検出部（検出手段、ジャム検出手段）
６１ｂ  第２ジャム検出部（検出手段、ジャム検出手段）
６２  用紙搬送部（用紙搬送手段）
２０１  ＣＰＵ（トレイ判断手段、指定手段）
２０３ａ  トレイ判断プログラム（トレイ判断手段）
２０３ｂ  指定プログラム（指定手段）
６３１  ＣＰＵ（供給判断手段、トレイ判断手段、指定手段）
６３３ａ  供給判断プログラム（供給判断手段）
１０００  画像形成システム
２０００  製本装置
Ｐ１  所定位置
【図１】
2010049171.tif 000003
【図２】
2010049171.tif 000004
【図３】
2010049171.tif 000005
【図４】
2010049171.tif 000006
【図５】
2010049171.tif 000007
【図６】
2010049171.tif 000008
【図７】
2010049171.tif 000009
【図８】
2010049171.tif 000010
【図９】
2010049171.tif 000011
【図１０】
2010049171.tif 000012
【図１１】
2010049171.tif 000013
【図１２】
2010049171.tif 000014
【図１３】
2010049171.tif 000015